(57)【特許請求の範囲】
【請求項１】
脚用マッサージ手段を備えた脚載せ台を具備しているとともに、該脚載せ台を椅子の座部前方に位置する使用位置と座部下方に位置する収納位置とに切り換える切換手段と、上記使用位置での脚載せ台の前後位置を調整する前後位置調整手段とを備えた椅子型マッサージ機であって、上記切換手段による脚載せ台の位置切り換えに伴って変化する脚載せ台の角度を検出する検出手段を備えており、上記前後位置調整手段は、上記切換手段に対して脚載せ台をスライド自在に保持するスライド機構で形成されているとともに、脚載せ台のスライド移動範囲の少なくとも一部に脚載せ台の自重によるスライド動作を規制する規制部と、該規制部による脚載せ台の上記自重によるスライド動作規制を前記検出手段で検出した脚載せ台の角度に応じて電磁的に解除して脚載せ台の自重によるスライド動作を許す解除部材とを備えていることを特徴とする椅子型マッサージ機。
【発明の詳細な説明】
【技術分野】
【０００１】
本発明は、椅子型マッサージ機、殊に脚用マッサージ手段を備えた脚載せ台を具備している椅子型マッサージ機に関するものである。
【背景技術】
【０００２】
脚用マッサージ手段を備えた脚載せ台を具備している椅子型マッサージ機においては、脚載せ台を椅子の座部前方に位置する使用位置と座部下方に位置する収納位置とに切り換える切換手段を備えたものとすることで、脚載せ台を使用しない時に脚載せ台が邪魔になってしまうことを避けることができ、また脚載せ台の使用時には適切な位置に脚載せ台を位置させることができる。
【０００３】
しかし、従来の切換手段は、脚載せ台を使用位置に位置させた時の椅子の座部前端と脚載せ台との間の間隔が固定であったことから、個々の脚の長さに合わせられず、人によっては脚への効果的なマッサージを受けることができなかった。
【０００４】
また、脚の形状も個人差があるが、これに対応することができず、この点においても脚への効果的なマッサージを受けることができなかった。
【発明の開示】
【発明が解決しようとする課題】
【０００５】
本発明は上記の従来の問題点に鑑みて発明したものであって、脚の長さや形状の個人差にかかわらず効果的なマッサージを行うことができる椅子型マッサージ機を提供するにある。
【課題を解決するための手段】
【０００６】
上記課題を解決するために本発明に係る椅子型マッサージ機は、
脚用マッサージ手段を備えた脚載せ台を具備しているとともに、該脚載せ台を椅子の座部前方に位置する使用位置と座部下方に位置する収納位置とに切り換える切換手段と、上記使用位置での脚載せ台の前後位置を調整する前後位置調整手段とを備えた椅子型マッサージ機であって、上記切換手段による脚載せ台の位置切り換えに伴って変化する脚載せ台の角度を検出する検出手段を備えており、上記前後位置調整手段は、上記切換手段に対して脚載せ台をスライド自在に保持するスライド機構で形成されているとともに、脚載せ台のスライド移動範囲の少なくとも一部に脚載せ台の自重によるスライド動作を規制する規制部と、該規制部による脚載せ台の上記自重によるスライド動作規制を前記検出手段で検出した脚載せ台の角度に応じて電磁的に解除して脚載せ台の自重によるスライド動作を許す解除部材とを備えていることに特徴を有している。脚の長さに応じて脚載せ台の前後位置をスライドによって調整することができるものであり、また、規制部による前後位置調整の規制は、脚載せ台の位置変化に伴う角度変化に応じて電磁的に解除されて脚載せ台が自重でスライドすることを許すようにしたものである。
【発明の効果】
【０００７】
本発明の椅子型マッサージ機では、脚の長さに応じて脚載せ台の前後位置を調整することができるものであり、脚の長さの個人差にかかわらず、脚に対して効果的なマッサージを確実に与えることができるものである。また、規制部の存在によって不用意に脚載せ台が前後に動いてしまうことを防ぐことができるものであり、しかも収納位置への移動などの際には脚載せ台の位置変化に伴う角度変化に応じて規制が電磁的に解除されて脚載せ台が自重でスライドすることができるようにしているために規制解除のための操作を別に必要としない上に脚載せ台を動かす操作も必要としない。
【発明を実施するための最良の形態】
【０００８】
以下、本発明を添付図面に示す実施形態に基いて説明すると、図示例のマッサージ機は、図３に示すように、フレーム８１と座部８０、アームレスト８２、そしてリクライニング自在な背もたれ８３とからなる椅子８の背もたれ８３内に、人体の背面に対するマッサージを行うマッサージ手段（図示せず）を内蔵させたもので、座部８０の先端部には脚載せ台１を配設してある。図１中のシリンダー９は背もたれ８３のリクライニングのためのものである。
【０００９】
上記脚載せ台１は、図４に示すように、パイプで組まれた支持体１４から帯状に形成した空気袋３，３を吊り下げたもので、空気袋３が形成する断面Ｕ字形の脚収納溝３０内に脚（ふくらはぎ部）を納め、この状態で空気袋３に接続した給排気手段４を作動させて空気袋３を膨張収縮させることにより、脚に圧迫マッサージを行う。
【００１０】
ここで、上記脚載せ台１は、複数節のリンク機構であるレイジィトング機構８５を介してフレーム８１に取り付けられている。一方のリンクの一端側が軸８６によってフレーム８０に軸着されているとともに他方のリンクの一端側が回動リンク８７を介してフレーム８０に取りつけられているレイジィトング機構８５は、回動リンク８７の回動に伴って伸縮を行う。
【００１１】
また脚載せ台１の支持体１４は、レイジィトング機構８５に軸着されているとともにレイジィトング機構８５の先端側の軸にリンク８８を介して連結されることで、レイジィトング機構８５の伸縮に伴って、その姿勢を変化させるものであり、レイジィトング機構８５を伸ばした時、脚載せ台１は図１に示すように、座部８０の前方で少し離れたところに少し前下がりになっただけの状態で位置し、レイジィトング機構８５を縮めたときには、図２に示すように、座部８０の下方に縦向きの状態で納まるようにしてある。
【００１２】
また、脚載せ台１は、切換手段であるレイジィトング機構８５に直接連結するのではなく、スライド機構を介して連結してある。そして通常の使用状態では、自重によって脚載せ台１は前方寄りに位置しているが、脚載せ台１を椅子側に引き寄せれば、図１に鎖線で示すように、座部８０の前端側に脚載せ台１を近づけることができ、このために、脚の長さの個人差に対応することができるものとなっている。
【００１３】
上記スライド機構について説明すると、図５〜図７に示すように、脚載せ台１の下面には前後方向に長いスライドレール１０を一対設けており、またレイジィトング機構８５の先端部の左右連結プレート９０上にはスライダー９１，９１を固定してある。上記スライドレール１０はスライダー９１に被さった状態でスライド自在に係合する。図５中のＭは背もたれ８３に上下移動自在に配したマッサージ手段、Ｃは操作器である。
【００１４】
また、図８に示すように、スライドレール１０の内面にばね９４による付勢でスライダー９１の側面に接するとともに、スライドレール１０内に配した電磁石９５の付勢でスライダー９１から離れる鉄製のプレート９６を設けて、電気的にスライド規制をかけることができるようにしている。
【００１５】
更に、図９(a)に示す脚載せ台１の使用時と図９(b)に示す脚載せ台１の収納時とを角度の変化で検出するセンサ９７を設けて、脚載せ台１を使用状態から収納状態へと移行させる時にはセンサ９７の出力でこれを検知して、上記電磁石９５を付勢することで、スライド規制を解除するようにすれば、脚載せ台１は自重で収納のための前後位置に戻ることになる。
【図面の簡単な説明】
【００１６】
【図１】本発明の実施の形態の一例の側面図である。
【図２】同上の側面図である。
【図３】同上の全体構成を示す斜視図である。
【図４】同上の脚載せ台の正面図である。
【図５】同上の斜視図である。
【図６】同上の脚載せ台の底面図である。
【図７】同上のスライドレールとスライダーを示しており、(a)は分解斜視図、(b)は断面図である。
【図８】(a)は電磁石オフ時の断面図、(b)は電磁石オン時の断面図である。
【図９】(a)(b)は同上の部分側面図である。
【符号の説明】
【００１７】
１  脚載せ台
３  空気袋
１０  スライドレール
７０  ころ
８０  座部
８５  レイジィトング機構
【図１】
0004415967.tif 000002
【図２】
0004415967.tif 000003
【図３】
0004415967.tif 000004
【図４】
0004415967.tif 000005
【図５】
0004415967.tif 000006
【図６】
0004415967.tif 000007
【図７】
0004415967.tif 000008
【図８】
0004415967.tif 000009
【図９】
0004415967.tif 000010